(57)【特許請求の範囲】
【請求項１】
天井面に設置された引掛シーリングに取り付けられる器具本体と、前記器具本体と前記引掛シーリングの側方を囲うようにして前記器具本体に取り付けられる、光透過性のカバーと、を有する照明器具であって、
前記器具本体は、上方に突出して設けられ、かつ前記引掛シーリングに接続される一対の電極刃と、外周面に設けられる器具本体側係合部と、を有し、かつ前記器具本体には、光を下方に照射するＬＥＤユニットが取り付けられ、
前記カバーは、下方が開口するとともに、筒状の周板と、前記周板の内面に設けられるカバー側係合部と、を有し、
前記器具本体側係合部は、
前記器具本体の外周面に沿って外側に突出して設けられた複数の第１の突起からなる第１の突起部を有し、
前記カバー側係合部は、
前記カバーの前記周板の内周に沿って前記周板の内面から内側に突出して設けられる複数の第２の突起からなる第２の突起部と、
前記カバーの前記周板の内周に沿って内面から内側に突出して設けられると共に、前記第２の突起部の上方に設けられた複数の第３の突起からなる第３の突起部と、を有し、
前記カバーの前記周板の上端部が前記天井面に当接しないよう、前記カバーの前記第２の突起部および前記第３の突起部のいずれかに、前記器具本体の前記第１の突起部が係合されることを特徴とする照明器具。
【請求項２】
天井面に設置された引掛シーリングに取り付けられる器具本体と、前記器具本体と前記引掛シーリングの側方を囲うようにして前記器具本体に取り付けられる、光透過性のカバーと、を有する照明器具であって、
前記器具本体は、上方に突出して設けられ、かつ前記引掛シーリングに接続される一対の電極刃と、外周面に設けられる器具本体側係合部と、を有し、下方にはＬＥＤユニットが取り付けられ、
前記カバーは、下方が開口するとともに、筒状の周板と、前記周板の内面に設けられるカバー側係合部と、を有し、
前記カバー側係合部は、
前記カバーの前記周板の内面に沿って前記周板の内面から内側に突出する第１の突起部を有し、
前記器具本体側係合部は、
前記器具本体の外周面に沿って、外側および内側に進退可能な第２の突起部と、
前記第２の突起部の上方において、前記器具本体の外周面に沿って、外側および内側に進退可能に設けられた第３の突起部と、を有し、
前記カバーの前記周板の上端部が前記天井面に当接しないよう、前記器具本体の前記第２の突起部および前記第３の突起部のいずれかに、前記カバーの前記第１の突起部が係合されることを特徴とする照明器具。
【発明の詳細な説明】
【技術分野】
【０００１】
本発明は、例えば浴室の壁面や天井面に設置されるシーリングライト等の照明器具に関する。
【背景技術】
【０００２】
従来より、器具本体に支持されるアダプタの上面に一対の電極刃を有し、一対の電極刃が天井面に設置されている引掛シーリングの電極刃挿入孔に挿入されて、アダプタが回動される照明器具が知られている（例えば、特許文献１参照）。
特許文献１は、アダプタの回動に伴い、電極刃が引掛シーリングに有する電極に機械的および電気的に接続される。
【先行技術文献】
【特許文献】
【０００３】
【特許文献１】特開２００５−１０９２２８号公報（図１、段落００２８）
【発明の概要】
【発明が解決しようとする課題】
【０００４】
ところで、特許文献１と同様に、天井面に設置されている引掛シーリングに取り付けられ照明器具が提案されている。
図９に示すように、このような従来の照明器具１００は、天井面１に設置されている引掛シーリング２の不図示の電極刃挿入孔に、器具本体１０１の上面に有する一対の電極刃１０２が挿入される。
【０００５】
そして、このような従来の照明器具１００は、器具本体１０１が一対の電極刃１０２とともにあらかじめ定められた角度だけ回動されることにより、電極刃１０２が引掛シーリング２に有する不図示の電極に機械的および電気的に接続される。
次に、このような従来の照明器具１００は、カバー１０３が器具本体１０１の外側にねじ込まれることによりカバー１０３が器具本体１０１の外側を覆って取り付けられる。
【０００６】
しかし、このような従来の照明器具１００は、カバー１０３を器具本体１０１にねじ込むに際し、カバー１０３に対する外力のねじ込み荷重が引掛シーリング２にかかることがある。
そのため、このような従来の照明器具１００は、引掛シーリング２に規定値を超えた大きな回動力が与えられて引掛シーリング２が破損することがありうる。
【０００７】
また、このような従来の照明器具１００は、カバー１０３を器具本体１０１にねじ込むことによりカバー１０３が天井面１に当接することによりカバー１０３のねじ込みが終了される。
そのため、カバー１０３の天井面１への当接に伴い、引掛シーリング２に対して引き下げる力がかかり、引掛シーリング２が破損することがありうる。
【０００８】
本発明は、前述した課題を解決するためになされたものであり、その目的は、引掛シーリングの破壊を防止して品質を向上できる照明器具を提供することにある。
【課題を解決するための手段】
【０００９】
本発明に係る照明器具は、天井面に設置された引掛シーリングに取り付けられる器具本体と、前記器具本体と前記引掛シーリングの側方を囲うようにして前記器具本体に取り付けられる、光透過性のカバーと、を有する照明器具であって、前記器具本体は、上方に突出して設けられ、かつ前記引掛シーリングに接続される一対の電極刃と、外周面に設けられる器具本体側係合部と、を有し、かつ前記器具本体には、光を下方に照射するＬＥＤユニットが取り付けられ、前記カバーは、下方が開口するとともに、筒状の周板と、前記周板の内面に設けられるカバー側係合部と、を有し、前記器具本体側係合部は、前記器具本体の外周面に沿って外側に突出して設けられた複数の第１の突起からなる第１の突起部を有し、前記カバー側係合部は、前記カバーの前記周板の内周に沿って前記周板の内面から内側に突出して設けられる複数の第２の突起からなる第２の突起部と、前記カバーの前記周板の内周に沿って内面から内側に突出して設けられると共に、前記第２の突起部の上方に設けられた複数の第３の突起からなる第３の突起部と、を有し、前記カバーの前記周板の上端部が前記天井面に当接しないよう、前記カバーの前記第２の突起部および前記第３の突起部のいずれかに、前記器具本体の前記第１の突起部が係合される。
【００１０】
本発明に係る照明器具は、天井面に設置された引掛シーリングに取り付けられる器具本体と、前記器具本体と前記引掛シーリングの側方を囲うようにして前記器具本体に取り付けられる、光透過性のカバーと、を有する照明器具であって、前記器具本体は、上方に突出して設けられ、かつ前記引掛シーリングに接続される一対の電極刃と、外周面に設けられる器具本体側係合部と、を有し、下方にはＬＥＤユニットが取り付けられ、前記カバーは、下方が開口するとともに、筒状の周板と、前記周板の内面に設けられるカバー側係合部と、を有し、前記カバー側係合部は、前記カバーの前記周板の内面に沿って前記周板の内面から内側に突出する第１の突起部を有し、前記器具本体側係合部は、前記器具本体の外周面に沿って、外側および内側に進退可能な第２の突起部と、前記第２の突起部の上方において、前記器具本体の外周面に沿って、外側および内側に進退可能に設けられた第３の突起部と、を有し、前記カバーの前記周板の上端部が前記天井面に当接しないよう、前記器具本体の前記第２の突起部および前記第３の突起部のいずれかに、前記カバーの前記第１の突起部が係合される。
【発明の効果】
【００１１】
本発明に係る照明器具によれば、引掛シーリングの破壊を防止して品質を向上できるという効果を奏する。
【図面の簡単な説明】
【００１２】
【図１】本発明に係る第１実施形態の照明器具の背高型の引掛シーリングに取り付けた場合の垂直断面図
【図２】本発明に係る第１実施形態の照明器具の器具本体の斜め下方から視た外観斜視図
【図３】本発明に係る第１実施形態の照明器具のカバーの斜め上方から視た外観斜視図
【図４】本発明に係る第１実施形態の照明器具の背低型の引掛シーリングに取り付けた場合の垂直断面図
【図５】本発明に係る第２実施形態の照明器具の背高型の引掛シーリングに取り付けた場合の垂直断面図
【図６】本発明に係る第１実施形態の照明器具の器具本体の側面図
【図７】本発明に係る第１実施形態の照明器具のカバーの斜め上方から視た外観斜視図
【図８】本発明に係る第１実施形態の照明器具の背低型の引掛シーリングに取り付けた場合の垂直断面図
【図９】従来の照明器具の垂直断面図
【発明を実施するための形態】
【００１３】
以下、本発明に係る複数の実施形態の照明器具について図面を参照して説明する。
（第１実施形態）
図１に示すように、本発明に係る第１実施形態の照明器具１０は、器具本体１１と、器具本体１１の底部裏面に取り付けられる発光素子である複数のＬＥＤ１２を有するＬＥＤユニット１３と、器具本体１１の側方およびＬＥＤユニット１３を覆うカバー１４とを備える。
【００１４】
照明器具１０は、器具本体１１の上端部にＬ字形状に屈曲された一対の電極刃１５を突出して備える。
一対の電極刃１５は、天井面１に設置されている引掛シーリング２に有する不図示の電極刃挿入孔に挿入され、電極挿入孔内に収容されている同じく不図示の電極に機械的および電気的に接続される。
【００１５】
器具本体１１は、例えばＡＤＣ１２等の金属材料により成形されて白色に染色されており、底部のＬＥＤ取付面１６にＬＥＤユニット１３が取り付けられる。器具本体１１は、その内部に、不図示の電源ユニットが収容される。
電源ユニットは、ＬＥＤユニット１３に有する不図示のＬＥＤ基板のプリント回路に接続されるとともに、一対の電極刃１５に接続される。
そして、器具本体１１は、外周面１７の上方部に、取付位置調整手段の一方を構成する器具本体側係合部１８を有する。
【００１６】
カバー１４は、例えば乳白色等の透過性を有するポリメタクリル酸メチル樹脂（ＰＭＭＡ）等の樹脂材料により円筒形状に形成される。
カバー１４は、底板１９と周板２０とを有し、底板１９の中央部に開口部２１を有する。
そして、カバー１４は、周板２０の内面において上部の開放側に、取付位置調整手段の他方を構成するカバー側係合部２２を有する。
【００１７】
図２に示すように、器具本体１１は、外周面１７に複数の傾斜部２３を有する。
器具本体１１は、４個の器具本体側係合部１８を外周面１７の円周方向に等間隔に突出して有する。
図３に示すように、カバー１４は、カバー側係合部２２を軸方向に２段にして円周方向に等間隔に突出して有する。
【００１８】
照明器具１０は、背高型の引掛シーリング２に取り付けるにあたり、まず、器具本体１１の一対の電極刃１５が天井面１の引掛シーリング２に有する電極刃挿入孔に挿入され、この器具本体１１があらかじめ定められた角度だけ回動される。
器具本体１１が回動されることにより、電極刃１５が電極挿入孔内の電極に機械的および電気的に接続されて器具本体１１が引掛シーリング２に取り付けられる。
【００１９】
次に、カバー１４が器具本体１１の下方から、カバー１４のカバー側係合部２２の円周方向の間に、器具本体１１の器具本体側係合部１８を配置しながら進行されていく。
カバー１４の下段のカバー側係合部２２が器具本体１１の器具本体側係合部１８を通過した後に、カバー１４がわずかに回動される。
【００２０】
これにより、カバー１４の下段のカバー側係合部２２が器具本体１１の器具本体側係合部１８に係合されて、カバー１４が器具本体１１に取り付けられる。
このとき、カバー１４は、天井面１に当接しない位置において器具本体１１に取り付けられる。
【００２１】
次に、照明器具１０を背低型の引掛シーリング３に取り付ける場合について説明する。
図４に示すように、器具本体１１の一対の電極刃１５が天井面１の引掛シーリング３に有する電極刃挿入孔に挿入され、この器具本体１１があらかじめ定められた角度だけ回動される。
器具本体１１が回動されることにより、電極刃１５が電極挿入孔内の電極に機械的および電気的に接続されて器具本体１１が引掛シーリング３に取り付けられる。
【００２２】
次に、カバー１４が器具本体１１の下方から、カバー１４のカバー側係合部２２の円周方向の間に、器具本体１１の器具本体側係合部１８を配置しながら進行されていく。
カバー１４の上段のカバー側係合部２２が器具本体１１の器具本体側係合部１８を通過した後に、カバー１４がわずかに回動される。
【００２３】
これにより、カバー１４の上段のカバー側係合部２２が器具本体１１の器具本体側係合部１８に係合されて、カバー１４が器具本体１１に取り付けられる。
この場合においても、カバー１４は、天井面１に当接しない位置において器具本体１１に取り付けられる。
【００２４】
以上、説明したように第１実施形態の照明器具１０によれば、取付位置調整手段により、カバー１４の引掛シーリング２，３への取付位置が調整される。
そのため、カバー１４にかかった荷重が引掛シーリング２，３にかかることがない。
また、カバー１４を器具本体１１にねじ込まずに器具本体１１に取り付けた際に、カバー１４が天井面１に当接しない。
従って、第１実施形態の照明器具１０によれば、天井面１の引掛シーリング２，３の破壊を防止して品質を向上できる。
【００２５】
また、第１実施形態の照明器具１０によれば、取付位置調整手段が、器具本体１１の器具本体側係合部１８と、カバー１４のカバー側係合部２２とであるために、別構成の部品を取り付ける場合と比べて、部品点数の増加を防止でき、簡単に製造できる。
【００２６】
（第２実施形態）
次に、本発明に係る第２実施形態の照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００２７】
図５に示すように、本発明に係る第２実施形態の照明器具３０は、器具本体３１の外周面３２から対向する外方に向けて進退可能な取付位置調整手段の一方を構成する一対の器具本体側係合部３３を上下の２段に備える。
図６に示すように、器具本体側係合部３３は、器具本体３１の底部に下方に向けて突出して設けられた一対のレバー３４を広げる方向に押圧することにより、レバー３４に連動して器具本体３１に収まる方向に変位する。
【００２８】
図７に示すように、カバー３５は、周板３６を有する円筒形状に形成されており、周板３６の内面において上部の開放側の全周に、取付位置調整手段の他方を構成するカバー側係合部３７を有する。
【００２９】
照明器具３０は、背高型の引掛シーリング２に取り付けるにあたり、まず、器具本体３１の一対の電極刃１５が天井面１の引掛シーリング２に有する電極刃挿入孔に挿入され、この器具本体３１があらかじめ定められた角度だけ回動される。
器具本体３１が回動されることにより、電極刃１５が電極挿入孔内の電極に機械的および電気的に接続されて器具本体３１が引掛シーリング２に取り付けられる。
【００３０】
次に、器具本体３１のレバー３４が広がる方向に押圧されて器具本体側係合部３３が器具本体３１に収まる方向に変位している状態において、カバー３５が器具本体３１の下方から進行されていく。
カバー３５のカバー側係合部３７が上段の器具本体側係合部３３を通過した後に、レバー３４の押圧が中止されることにより、器具本体側係合部３３が器具本体３１の外周面３２から飛び出す。
【００３１】
これにより、カバー３５のカバー側係合部３７が器具本体３１の上段の器具本体側係合部３３に係合されて、カバー３５が器具本体３１に取り付けられる。
このとき、カバー３５は、天井面１に当接しない位置において器具本体３１に取り付けられる。
【００３２】
次に、照明器具３０を背低型の引掛シーリング３に取り付ける場合について説明する。
図８に示すように、器具本体３１の一対の電極刃１５が天井面１の引掛シーリング３に有する電極刃挿入孔に挿入され、この器具本体３１があらかじめ定められた角度だけ回動される。
器具本体３１が回動されることにより、電極刃１５が電極挿入孔内の電極に機械的および電気的に接続されて器具本体３１が引掛シーリング３に取り付けられる。
【００３３】
次に、器具本体３１のレバー３４が広がる方向に押圧されて器具本体側係合部３３が器具本体３１に収まる方向に変位している状態において、カバー３５が器具本体３１の下方から進行されていく。
カバー３５のカバー側係合部３７が下段の器具本体側係合部３３を通過した後に、レバー３４の押圧が中止されることにより、器具本体側係合部３３が器具本体３１の外周面３２から飛び出す。
【００３４】
これにより、カバー３５のカバー側係合部３７が器具本体３１の下段の器具本体側係合部３３に係合されて、カバー３５が器具本体３１に取り付けられる。
この場合においても、カバー３５は、天井面１に当接しない位置において器具本体３１に取り付けられる。
【００３５】
第２実施形態の照明器具３０によれば、取付位置調整手段が、レバー３４に連動して器具本体３１に収まる方向に変位する器具本体側係合部３３であるために、カバー３５を、回動させることなく器具本体３１に簡単に取り付けできる。
【００３６】
なお、本発明の照明器具においてＬＥＤ，ＬＥＤユニット，引掛シーリング等は、前述した各実施形態に限定されるものでなく、適宜な変形や改良等が可能である。
【符号の説明】
【００３７】
１  天井面
２，３  引掛シーリング
１０，３０  照明器具
１１，３１  器具本体
１４，３５  カバー
１５  電極刃
１８，３３  器具本体側係合部（取付位置調整手段）
２２，３７  カバー側係合部（取付位置調整手段）
【図１】
0005842148.tif 000002
【図２】
0005842148.tif 000003
【図３】
0005842148.tif 000004
【図４】
0005842148.tif 000005
【図５】
0005842148.tif 000006
【図６】
0005842148.tif 000007
【図７】
0005842148.tif 000008
【図８】
0005842148.tif 000009
【図９】
0005842148.tif 000010